(57)【要約】【課題】  その上面側に固定側金型を取り付けた固定ダイプレートに対して、その下面側に可動側金型を取り付けた可動ダイプレートが上下動するタイプの縦型射出成形機において、金型交換の作業性を向上させること。【解決手段】  その上面側に固定側金型を取り付けた固定ダイプレートに対して、その下面側に可動側金型を取り付けた可動ダイプレートが上下動する縦型射出成形機において、固定ダイプレートにマシンフレームとしての機能を担わせ、このマシンフレームの一部を兼ねる固定ダイプレートの上面を、面一にする。【選択図】      図３
2006297864.tif 000002
【特許請求の範囲】
【請求項１】
その上面側に固定側金型を取り付けた固定ダイプレートに対して、その下面側に可動側金型を取り付けた可動ダイプレートが上下動する縦型射出成形機において、
前記固定ダイプレートにマシンフレームとしての機能を担わせ、このマシンフレームの一部を兼ねる前記固定ダイプレートの上面を、面一にしたことを特徴とする縦型射出成形機。
【請求項２】
その上面側に固定側金型を取り付けた固定ダイプレートに対して、その下面側に可動側金型を取り付けた可動ダイプレートが上下動する縦型射出成形機において、
前記固定ダイプレートを、マシンフレームの一部を構成する部材である固定ダイプレート保持フレームに固定すると共に、前記固定ダイプレートの上面と前記固定ダイプレート保持フレームの上面とを、面一にしたことを特徴とする縦型射出成形機。
【発明の詳細な説明】
【技術分野】
【０００１】
本発明は、その上面側に固定側金型を取り付けた固定ダイプレートに対して、その下面側に可動側金型を取り付けた可動ダイプレートが上下動する縦型（竪型）射出成形機に関する。
【背景技術】
【０００２】
その上面側に固定側金型を取り付けた固定ダイプレートに対して、その下面側に可動側金型を取り付けた可動ダイプレートが上下動するタイプの縦型射出成形機においては、固定ダイプレートは、マシンフレームの一部を構成する部材である固定ダイプレート保持フレーム上に載置されて、ボルト等で固定されるようになっており、固定ダイプレートの金型取り付け面である固定ダイプレートの上面は、固定ダイプレート保持フレームの上面よりも高い位置をとるように構成されるのが、一般的であった。
【発明の開示】
【発明が解決しようとする課題】
【０００３】
上記したように、従来は、固定ダイプレート保持フレームの略中央に載置された固定ダイプレートの上面は、その４囲の固定ダイプレート保持フレームの上面よりも高い位置にあるため、金型の搬出、搬入を行う際の作業が困難なものとなり、金型交換の作業性が悪いという問題があった。
【０００４】
本発明は上記の点に鑑みなされたもので、その目的とするところは、その上面側に固定側金型を取り付けた固定ダイプレートに対して、その下面側に可動側金型を取り付けた可動ダイプレートが上下動するタイプの縦型射出成形機において、金型交換の作業性を向上させることにある。
【課題を解決するための手段】
【０００５】
本発明は上記した目的を達成するため、その上面側に固定側金型を取り付けた固定ダイプレートに対して、その下面側に可動側金型を取り付けた可動ダイプレートが上下動する縦型射出成形機において、
固定ダイプレートにマシンフレームとしての機能を担わせ、このマシンフレームの一部を兼ねる固定ダイプレートの上面を、面一にした構成、
あるいは、
固定ダイプレートを、マシンフレームの一部を構成する部材である固定ダイプレート保持フレームに固定すると共に、固定ダイプレートの上面と固定ダイプレート保持フレームの上面とを、面一にした構成を、
とる。
【発明の効果】
【０００６】
本発明によれば、マシンフレームの一部を兼ねる固定ダイプレートの上面を面一にした構成、または、固定ダイプレートの上面と固定ダイプレート保持フレームの上面とを面一にした構成としているので、金型交換に際し、固定側金型と可動側金型とを重ねた状態でで、金型を、マシンフレームの一部を兼ねる固定ダイプレートの上面でスライド、または、固定ダイプレートの上面および固定ダイプレート保持フレームの上面でスライドさせることが可能となり、したがって、金型の搬出、搬入の作業性が向上し、金型交換が容易に行える。また、フープ材を用いたインサート成形を行う場合においては、長尺の金属薄板よりなるフープ材を、固定側金型の上面と水平に維持させ、かつ、フープ材を正確にステップ送りするための案内機構を、上記した面一の面に容易に配置することができ、フープ材を用いたインサート成形にも好適なものとなる。
【発明を実施するための最良の形態】
【０００７】
以下、本発明の実施の形態を、図面を用いて説明する。図１〜図４は、本発明の第１実施形態による縦型射出成形機に係り、図１は、本第１実施形態の縦型射出成形機の型開閉系メカニズムを示す、一部のカバーを取り外した状態の要部斜視図、図２は、本第１実施形態の縦型射出成形機の型開閉系メカニズムを示す、図１とは異なる角度から見た要部斜視図である。
【０００８】
図１、図２において、１はマシン全体を保持するための構造物としてマシンフレームで、該マシンフレーム１は、最下部に位置するベースフレーム２、ベースフレーム２の前側（正面側）に立設・固定された２本の前側支柱３、ベースフレーム２の後側（背面側）に立設・固定された後側支枠４、前側支柱３と後側支枠４とに固定された固定ダイプレート５、固定ダイプレート５の前側の隅部に立設・固定された２つのコーナー支枠６などを、含んで構成されている。
【０００９】
本第１実施形態では、固定ダイプレート５がマシンフレーム１の一部を兼ねるようになっており、固定ダイプレート５の上面の全面は、段部がない面一に形成されている。そして、この固定ダイプレート５の上面には、図示せぬ固定側金型が取り付けられている。
【００１０】
７は上下動可能に設けられたテールストックで、該テールストック７には、型開閉用のサーボモータ８などが搭載されている。９は、その一端をテールストック７に固定され、その他端を上下動可能な可動ダイプレート１０に固定された４本のタイバーで、該タイバー９により、テールストック７と可動ダイプレート１０とが一体となって上下動するように連結されており、タイバー９は固定ダイプレート５に対して上下方向に摺動可能なように挿通されている。可動ダイプレート１０の下面には、図示せぬ可動側金型が取り付けられている。１１は、固定ダイプレート５の下面側とテールストック７の上面側との間に設けられた公知のトグルリンク機構で、該トグルリンク機構１１の力の入力端である図示せぬクロスヘッドが、型開閉用のサーボモータ８の回転を直線運動に変換する図示せぬボールネジ機構により上下方向に駆動されることにより、折り畳み駆動または伸張駆動されるようになっている。
【００１１】
上記のトグルリンク機構１１が伸張駆動されると、固定ダイプレート５に対してテールストック７が下降駆動され、これと一体となってタイバー９、可動ダイプレート１０が下降して、型閉じ・型締めが行われるようになっている。また、トグルリンク機構１１が折り畳み駆動されると、固定ダイプレート５に対してテールストック７が上昇駆動され、これと一体となってタイバー９、可動ダイプレート１０が上昇して、型開きが行われるようになっている。なお、図示していないが、可動ダイプレート１０の上面側には射出系メカニズムが搭載されていて、射出系メカニズムは可動ダイプレート１０と一体となって上下動するようになっている。
【００１２】
図２に示すように、固定ダイプレート５の下側の空間は、後側支枠４と、正面および左右側面を覆うカバー１２とによって、覆い隠されるようになっている。また、図１、図２に示すように、可動ダイプレート１０が上下動する空間である型開閉空間（固定ダイプレート５の上側の空間）の正面には、スライド移動可能な引き戸式の安全ドア１３が設けられ、型開閉空間（固定ダイプレート５の上側の空間）の右側面および左側面には、引き出し回転式の安全ドア１４、１５がそれぞれ設けられている。自動運転モードや半自動運転モードでの成形運転時には、基本的に、これらの安全ドアの何れか１つが開放されると、型開閉動作が禁止されるようになっている。ただし、型開き状態でフープ材を１成形サイクル毎にステップ送りして、金型間にフープ材を連続自動供給し、フープ材を用いたインサート成形を行う際には、右側面および左側面の安全ドア１４、１５を開放した状態でも型開閉が可能であるように、オペレータがマシンの制御条件を設定可能なようにもなっている。
【００１３】
マシンのオペレータが立つ、マシン正面側のスライド可能な安全ドア１３は、その下端にレール部材１６を一体に固定してあり、このレール部材１６は、固定ダイプレート５の正面側側面（前側面）の左側に固定配置された直動ガイド１７に、スライド移動可能なように係合されている。直動ガイド１７は、レール部材１６上を転動して循環するボールを内蔵した部材であり、このような循環するボールを内蔵した直動ガイド１７を用いることにより、安全ドア１３の円滑なスライド移動と、長寿命で耐久性に富んだスライド動作を保証できるようになっている。なお、安全ドア１３の上側には、摺動ブッシュ１８が固定されていて、この摺動ブッシュ１８は、２つのコーナー支枠６の上端間に掛け渡されたガイドバー１９に沿って摺動するように、構成されている。なおまた、図示では割愛してあるが、安全ドア１３には、その最大開放位置を規定するストッパーが付設されている。このような、安全ドア１３のスライド移動機構とすることにより、安全ドア１３を開放した状態では、固定ダイプレート５の正面側には、突起となるレール部材が存在しないので、マシン正面側から金型交換を行う際の作業性や、マシン正面側から１成形サイクル毎にオペレータが手作業でインサート物を固定金型上に載置するときの作業性を、向上させることができる。
【００１４】
また、マシンの右側面および左側面の安全ドア１４、１５は、その側辺部をヒンジにより回転可能に保持された構造となっており、安全ドア１４を開放した状態では、固定ダイプレート５の右側面側には何ら突出物がなく、また、安全ドア１５を開放した状態では、固定ダイプレート５の左側面側には何ら突出物がないので、マシン右側面側やマシン左側面側から金型交換を行う際の作業性などを、向上させることができる。
【００１５】
図３は、固定ダイプレート５を上面から見た説明図である。図３に示すように、固定ダイプレート５を４本のタイバー１０が挿通しており、この４本のタイバー１０で囲まれた領域内に、図３で２点鎖線で示す固定側金型２１が、締め付けボルト等で取り付けられるようになっている。なお、図３に示すように、固定ダイプレート５の正面側側面（前側面）には、凹部２０が形成されており、この凹部２０は、安全ドア１３を開き切ったときには、オペレータの胴部が若干量ではあるが入り込むことを許容するために設けられていて、これにより、マシン正面側から１成形サイクル毎にオペレータが手作業でインサート物を固定金型上に載置するときの、作業性の向上を図れるようにしてある。
【００１６】
本第１実施形態および後記する第２実施形態においては、金型交換は、マシンの正面側、右側面側、左側面側のうちの任意の方向から行うことが可能となっている。金型交換を行う際には、マシンを型閉じした状態にして、安全ドア１３、１４、１５の何れか１つ、または、複数を開放する。そして、型閉じした状態で、まず可動側金型を可動ダイプレート１０から取り外し、次に、可動側金型を固定側金型上に置き去るように可動ダイプレート１０を上昇させ、この後、固定側金型を固定ダイプレート５から取り外す。次に、固定側金型に可動側金型を重ね合わせた状態で、金型を固定ダイプレート５上で所定方向にスライドさせて、マシンの正面側または右側面側または左側面側から、金型をマシン外に搬出する。金型をマシンに取り付ける際は、上記と逆の手順をとる。図４は、固定ダイプレート５を右側面から見た説明図であり、同図では、金型交換の際において、固定側金型２１上に可動側金型２２が重ね合わされた状態を示している。
【００１７】
また、本第１実施形態および後記する第２実施形態においては、型開き状態でフープ材を１成形サイクル毎にステップ送りして、金型間にフープ材を連続自動供給し、フープ材を用いたインサート成形を行う際には、右側面および左側面の安全ドア１４、１５を開放した状態でも型開閉が可能であるように、オペレータがマシンの制御条件を設定する。そして、マシンの右側面および左側面の安全ドア１４、１５を開放した状態として、マシンの右側と左側に、長尺の金属薄板よりなる巻回されたフープ材の引き出し・供給機構と、フープ成形後の樹脂とフープ材が一体化した長尺物品の受け取り機構とを配設する。また、マシン内のフープ材を固定側金型の上面とを水平に維持させ、かつ、フープ材を正確にステップ送りするための案内機構を、固定ダイプレート５上に配置する。
【００１８】
以上のように本第１実施形態では、マシンフレームの一部を兼ねる固定ダイプレート５の上面を面一にした構成としているので、金型交換に際し、固定側金型と可動側金型とを重ねた状態で、金型を固定ダイプレート５の上面でスライドさせることが可能となり、したがって、金型交換の作業性が向上する。また、フープ材を用いたインサート成形にも好適なものとなる。
【００１９】
次に、本発明の第２実施形態について説明する。図５は、本第２実施形態に係る縦型射出成形機における要部を上面から見た説明図、図６は、本第２実施形態に係る縦型射出成形機における要部を右側面から見た説明図である。
【００２０】
本第２実施形態が前記第１実施形態と相違するのは、前記第１実施形態において、マシンフレーム１の一部を兼ねる構造の固定ダイプレート５を、固定ダイプレート保持フレームと、固定ダイプレートとに分離して、固定ダイプレート保持フレーム上に固定ダイプレートを固定すると共に、固定ダイプレート保持フレームの上面と固定ダイプレートの上面とを、面一にした点にある。これ以外の他の構成は、前記第１実施形態と同様である。
【００２１】
図５、図６において、３１は、前記した前側支柱３（図５、図６では図示されていない）と後側支枠４とに固定された固定ダイプレート保持フレーム、３２は、固定ダイプレート保持フレーム３１上に締め付けボルトにより固定された固定ダイプレートであり、固定ダイプレート保持フレーム３１の上面と固定ダイプレート３２の上面とは、面一となるように構成されている。
【００２２】
このような構成をとる本第２実施形態においても、前記第１実施形態と同様の効果を奏する。
【図面の簡単な説明】
【００２３】
【図１】本発明の第１実施形態に係る縦型射出成形機の型開閉系メカニズムを示す、一部のカバーを取り外した状態の要部斜視図である。
【図２】本発明の第１実施形態に係る縦型射出成形機の型開閉系メカニズムを示す、図１とは異なる角度から見た要部斜視図である。
【図３】本発明の第１実施形態に係る縦型射出成形機における、マシンフレームの一部を兼ねる固定ダイプレートを上面から見た説明図である。
【図４】本発明の第１実施形態に係る縦型射出成形機における、マシンフレームの一部を兼ねる固定ダイプレートを右側面から見た説明図である。
【図５】本発明の第２実施形態に係る縦型射出成形機における、固定ダイプレート保持フレームと固定ダイプレートを上面から見た説明図である。
【図６】本発明の第２実施形態に係る縦型射出成形機における、固定ダイプレート保持フレームを右側面から見た説明図である。
【符号の説明】
【００２４】
１  マシンフレーム
２  ベースフレーム
３  前側支柱
４  後側支枠
５  固定ダイプレート
６  コーナー支枠
７  テールストック
８  型開閉用のサーボモータ
９  タイバー
１０  可動ダイプレート
１１  トグルリンク機構
１２  カバー
１３  スライド移動可能な引き戸式の安全ドア
１４、１５  引き出し回転式の安全ドア
１６  レール部材
１７  直動ガイド
１８  摺動ブッシュ
１９  ガイドバー
２０  凹部
２１  固定側金型
２２  可動側金型
３１  固定ダイプレート保持フレーム
３２  固定ダイプレート
【図１】
2006297864.tif 000003
【図２】
2006297864.tif 000004
【図３】
2006297864.tif 000005
【図４】
2006297864.tif 000006
【図５】
2006297864.tif 000007
【図６】
2006297864.tif 000008